(57)【特許請求の範囲】
【請求項１】
第１の部材と第２の部材とを備え、
前記第１の部材は、記録紙がロール状に巻回された記録紙ロールの端部の中心孔に挿入される挿入部と、前記挿入部の端部に設けられた支持部と、前記支持部の端部に設けられた支軸部とを有し、
前記支持部は、前記挿入部と同軸上の外周面と、前記外周面の前記挿入部寄りの端部に設けられ前記外周面の径方向の外側の環状の箇所で前記外周面に面し周方向に位相がずらされ軸方向の高さが互いに異なる複数の挿入部側カム面と、前記外周面の前記支軸部寄りの端部にこの端部の外径よりも大きな外径で設けられた鍔部と、前記鍔部が前記支軸部寄りの端部に面する箇所に設けられ周方向に位相がずらされ軸方向の高さが互いに異なる複数の支軸部側カム面と、前記鍔部の外周部に設けられた切り欠きとを有し、
前記第２の部材は、前記外周面が挿入される内周面が設けられた筒部と、前記筒部に該筒部と同軸状で該筒部よりも大径に設けられたフランジ部と、前記筒部の軸方向の一方の端部に設けられ前記複数の挿入部側カム面に選択的に係合可能なカムフォロア部と、前記切り欠きを通り前記支持部上に移動可能で前記複数の支軸部側カム面に選択的に係合可能な係合爪とを有し、
前記外周面が前記内周面に挿入されて前記支持部に前記筒部が支持され、前記カムフォロア部が前記複数の挿入部側カム面に選択的に係合し、前記係合爪が前記複数の支軸部側カム面に選択的に係合した状態で、前記係合爪が前記支軸部側カム面により前記軸方向に弾性変形されその反力により前記カムフォロアが前記挿入部側カム面に当接され前記支持部上での軸方向における第２の部材が位置決めされる、
記録紙ロール支持装置。
【請求項２】
前記フランジよりも前記係合爪寄りの前記筒部の箇所に、前記筒部よりも大きく前記フランジ部よりも小さい外径の操作用つまみが設けられている、
請求項１記載の記録紙ロール支持装置。
【請求項３】
前記支軸部の先端に、該支軸部と同軸上に球面が突出形成されている、
請求項１記載の記録紙ロール支持装置。
【請求項４】
前記支持部の前記外周面に、
スリットによりクリック爪が区画され、
前記クリック爪の先端に係合突起が設けられ、
前記筒部の内周面に、前記係合突起が係合可能な係合凹部が設けられ、
前記カムフォロア部が前記複数の挿入部側カム面に選択的に係合し、前記係合爪が前記複数の支軸部側カム面に選択的に係合することで前記第２の部材が位置決めされる際に、前記係合突起と前記係合凹部とが係合してクリック感が付与される、
請求項１記載の記録紙ロール支持装置。
【請求項５】
第３の部材と第４の部材とコイルスプリングとを備え、
前記第３の部材は、記録紙がロール状に巻回された記録紙ロールの端部の中心孔に挿入される挿入部と、前記挿入部の端部に該挿入部と同軸状で該挿入部よりも大径に設けられたフランジ部とを有し、
前記第４の部材は、支軸部と、この支軸部の端部に設けられ前記コイルスプリングを圧縮しつつ前記挿入部の内側に組み込まれ前記挿入部の内側の切り欠きに係合する複数の係合爪とを有し、
前記支軸部は、前記係合爪が前記切り欠きに係合する突出位置に、前記コイルスプリングにより付勢されており、かつ、前記支軸部の前記挿入部方向への没入が可能である、
記録紙ロール支持装置。
【請求項６】
前記支軸部の先端に、該支軸部と同軸上に球面が突出形成されている、
請求項５記載の記録紙ロール支持装置。
【請求項７】
第１の部材と第２の部材からなる記録紙ロール支持装置を備え、
前記第１の部材は、記録紙がロール状に巻回された記録紙ロールの端部の中心孔に挿入される挿入部と、前記挿入部の端部に設けられた支持部と、前記支持部の端部に設けられた支軸部とを有し、
前記支持部は、前記挿入部と同軸上の外周面と、前記外周面の前記挿入部寄りの端部に設けられ前記外周面の径方向の外側の環状の箇所で前記外周面に面し周方向に位相がずらされ軸方向の高さが互いに異なる複数の挿入部側カム面と、前記外周面の前記支軸部寄りの端部にこの端部の外径よりも大きな外径で設けられた鍔部と、前記鍔部が前記支軸部寄りの端部に面する箇所に設けられ周方向に位相がずらされ軸方向の高さが互いに異なる複数の支軸部側カム面と、前記鍔部の外周部に設けられた切り欠きとを有し、
前記第２の部材は、前記外周面が挿入される内周面が設けられた筒部と、前記筒部に該筒部と同軸状で該筒部よりも大径に設けられたフランジ部と、前記筒部の軸方向の一方の端部に設けられ前記複数の挿入部側カム面に選択的に係合可能なカムフォロア部と、前記切り欠きを通り前記支持部上に移動可能で前記複数の支軸部側カム面に選択的に係合可能な係合爪とを有し、
前記外周面が前記内周面に挿入されて前記支持部に前記筒部が支持され、前記カムフォロア部が前記複数の挿入部側カム面に選択的に係合し、前記係合爪が前記複数の支軸部側カム面に選択的に係合した状態で、前記係合爪が前記支軸部側カム面により前記軸方向に弾性変形されその反力により前記カムフォロアが前記挿入部側カム面に当接され前記支持部上での軸方向における第２の部材が位置決めされる、
プリンタ。
【請求項８】
第３の部材と第４の部材とコイルスプリングとからなる記録紙ロール支持装置を備え、
前記第３の部材は、記録紙がロール状に巻回された記録紙ロールの端部の中心孔に挿入される挿入部と、前記挿入部の端部に該挿入部と同軸状で該挿入部よりも大径に設けられたフランジ部とを有し、
前記第４の部材は、支軸部と、この支軸部の端部に設けられ前記コイルスプリングを圧縮しつつ前記挿入部の内側に組み込まれ前記挿入部の内側の切り欠きに係合する複数の係合爪とを有し、
前記支軸部は、前記係合爪が前記切り欠きに係合する突出位置に、前記コイルスプリングにより付勢されており、かつ、前記支軸部の前記挿入部方向への没入が可能である、
プリンタ。
【発明の詳細な説明】
【技術分野】
【０００１】
本発明は記録紙がロール状に巻回された記録紙ロールを支持する記録紙ロール支持装置、および、そのような記録紙ロール支持装置を備えたプリンタに関する。
【背景技術】
【０００２】
近年、プリンタとして、高い画質で印画できコスト面で有利な記録紙ロールを用いるものが提供されている。
このようなプリンタでは、記録紙ロール支持装置により回転可能に支持された記録紙ロールから記録紙を引き出して給送し印画を行うように構成されている。
多くの場合、記録紙ロール支持装置は、記録紙ロールの端部の中心孔に挿入される挿入部と、挿入部に設けられ記録紙ロールの端部、すなわち、記録紙の幅方向の縁部に当て付けられるフランジ部と、挿入部の端部に設けられた支軸部とを有し、支軸部がプリンタに設けられた軸受け部によって回転可能に支持される構造のものが提供されている。
ところで、記録紙はその幅方向の寸法が異なる複数種類のものが提供されている。
そのため、記録紙の幅方向の寸法に応じてフランジ部の位置を調整する構造を有する記録紙ロール支持装置が提供されている（特許文献１参照）。
また、記録紙の幅方向の寸法に応じて着脱可能なアジャスターの位置を変化させる記録紙ロール支持装置が提供されている（特許文献２参照）。
【特許文献１】特開２００６−１８８３５５
【特許文献２】実開平０１−１３７９３９
【発明の開示】
【発明が解決しようとする課題】
【０００３】
しかしながら、前者の従来装置は、フランジ部の位置を調整する構造が複雑で大掛かりなものとなるため、占有スペースを確保する必要があり、プリンタの小型化を図る上で不利がある。
また、後者の従来装置は、アジャスターの紛失などのおそれがあり使い勝手の面で十分とはいえない不利があった。
本発明はこのような事情に鑑みなされたものであり、その目的は構成の簡素化を図りつつ使い勝手の向上を図る上で有利な記録紙ロール支持装置およびプリンタを提供することにある。
【課題を解決するための手段】
【０００４】
上述の目的を達成するため、本発明の記録紙ロール支持装置は、第１の部材と第２の部材とを備え、前記第１の部材は、記録紙がロール状に巻回された記録紙ロールの端部の中心孔に挿入される挿入部と、前記挿入部の端部に設けられた支持部と、前記支持部の端部に設けられた支軸部とを有し、前記支持部は、前記挿入部と同軸上の外周面と、前記外周面の前記挿入部寄りの端部に設けられ前記外周面の径方向の外側の環状の箇所で前記外周面に面し周方向に位相がずらされ軸方向の高さが互いに異なる複数の挿入部側カム面と、前記外周面の前記支軸部寄りの端部にこの端部の外径よりも大きな外径で設けられた鍔部と、前記鍔部が前記支軸部寄りの端部に面する箇所に設けられ周方向に位相がずらされ軸方向の高さが互いに異なる複数の支軸部側カム面と、前記鍔部の外周部に設けられた切り欠きとを有し、前記第２の部材は、前記外周面が挿入される内周面が設けられた筒部と、前記筒部に該筒部と同軸状で該筒部よりも大径に設けられたフランジ部と、前記筒部の軸方向の一方の端部に設けられ前記複数の挿入部側カム面に選択的に係合可能なカムフォロア部と、前記切り欠きを通り前記支持部上に移動可能で前記複数の支軸部側カム面に選択的に係合可能な係合爪とを有し、前記外周面が前記内周面に挿入されて前記支持部に前記筒部が支持され、前記カムフォロア部が前記複数の挿入部側カム面に選択的に係合し、前記係合爪が前記複数の支軸部側カム面に選択的に係合した状態で、前記係合爪が前記支軸部側カム面により前記軸方向に弾性変形されその反力により前記カムフォロアが前記挿入部側カム面に当接され前記支持部上での軸方向における第２の部材が位置決めされる。
また本発明の記録紙ロール支持装置は、第３の部材と第４の部材とコイルスプリングとを備え、前記第３の部材は、記録紙がロール状に巻回された記録紙ロールの端部の中心孔に挿入される挿入部と、前記挿入部の端部に該挿入部と同軸状で該挿入部よりも大径に設けられたフランジ部とを有し、前記第４の部材は、支軸部と、この支軸部の端部に設けられ前記コイルスプリングを圧縮しつつ前記挿入部の内側に組み込まれ前記挿入部の内側の切り欠きに係合する複数の係合爪とを有し、前記支軸部は、前記係合爪が前記切り欠きに係合する突出位置に、前記コイルスプリングにより付勢されており、かつ、前記支軸部の前記挿入部方向への没入が可能である。
また本発明のプリンタは、第１の部材と第２の部材からなる記録紙ロール支持装置を備え、前記第１の部材は、記録紙がロール状に巻回された記録紙ロールの端部の中心孔に挿入される挿入部と、前記挿入部の端部に設けられた支持部と、前記支持部の端部に設けられた支軸部とを有し、前記支持部は、前記挿入部と同軸上の外周面と、前記外周面の前記挿入部寄りの端部に設けられ前記外周面の径方向の外側の環状の箇所で前記外周面に面し周方向に位相がずらされ軸方向の高さが互いに異なる複数の挿入部側カム面と、前記外周面の前記支軸部寄りの端部にこの端部の外径よりも大きな外径で設けられた鍔部と、前記鍔部が前記支軸部寄りの端部に面する箇所に設けられ周方向に位相がずらされ軸方向の高さが互いに異なる複数の支軸部側カム面と、前記鍔部の外周部に設けられた切り欠きとを有し、前記第２の部材は、前記外周面が挿入される内周面が設けられた筒部と、前記筒部に該筒部と同軸状で該筒部よりも大径に設けられたフランジ部と、前記筒部の軸方向の一方の端部に設けられ前記複数の挿入部側カム面に選択的に係合可能なカムフォロア部と、前記切り欠きを通り前記支持部上に移動可能で前記複数の支軸部側カム面に選択的に係合可能な係合爪とを有し、前記外周面が前記内周面に挿入されて前記支持部に前記筒部が支持され、前記カムフォロア部が前記複数の挿入部側カム面に選択的に係合し、前記係合爪が前記複数の支軸部側カム面に選択的に係合した状態で、前記係合爪が前記支軸部側カム面により前記軸方向に弾性変形されその反力により前記カムフォロアが前記挿入部側カム面に当接され前記支持部上での軸方向における第２の部材が位置決めされる。
また本発明のプリンタは、第３の部材と第４の部材とコイルスプリングとからなる記録紙ロール支持装置を備え、前記第３の部材は、記録紙がロール状に巻回された記録紙ロールの端部の中心孔に挿入される挿入部と、前記挿入部の端部に該挿入部と同軸状で該挿入部よりも大径に設けられたフランジ部とを有し、前記第４の部材は、支軸部と、この支軸部の端部に設けられ前記コイルスプリングを圧縮しつつ前記挿入部の内側に組み込まれ前記挿入部の内側の切り欠きに係合する複数の係合爪とを有し、前記支軸部は、前記係合爪が前記切り欠きに係合する突出位置に、前記コイルスプリングにより付勢されており、かつ、前記支軸部の前記挿入部方向への没入が可能である。
【発明の効果】
【０００５】
本発明によれば、カムフォロア部が複数の挿入部側カム面に選択的に係合され、係合爪が複数の支軸部側カム面に選択的に係合されるといった簡単な構造により、支軸部に対する軸方向におけるフランジ部の位置決めを行うことできる。
また本発明によれば、支軸部が没入可能で常時突出位置に付勢されているので、第１の部材と第２の部材からなる記録紙ロール支持装置と併せて用いることにより、幅の違う記録紙を使用する場合に、第１の部材と第２の部材からなる記録紙ロール支持装置のみを調整することで足り、したがって、操作性の向上を図る上で極めて有利となる。
【発明を実施するための最良の形態】
【０００６】
次に、本発明の実施の形態について図面を参照して説明する。
まず、本実施の形態のプリンタ１０の基本的な構成について説明する。
図１は本実施の形態のプリンタ１０の構成を示す断面図、図２は図１において矢印Ａ方向から記録紙ロール支持装置１４および記録紙ロール収容部１６を見た状態を示す平面図、図３は記録紙ロール２を支持する記録紙ロール支持装置１４、１５の斜視図である。
【０００７】
まず、記録紙ロール２について説明する。
図３に示すように、記録紙ロール２は、一定の幅を有する記録紙２Ａがロール状に巻回されることで構成されている。
記録紙ロール２の幅方向の両端部には中心孔４（図２）が設けられている。
なお、記録紙ロール２は、記録紙２Ａが巻芯となる紙管に巻回されて構成されたものであっても、記録紙２Ａが紙管を用いることなく巻回されて構成されたものあってもよい。
【０００８】
次にプリンタ１０について説明する。
図１に示すように、プリンタ１０は、昇華式サーマルプリンタであり、インクリボンに塗布された昇華性染料を昇華させて記録紙ロール２から給送された記録紙２Ａ上に転写させて印画を行うものである。なお、プリンタ１０の印画方式は昇華式に限定されず、従来公知のさまざまな方式のものであってもよい。
【０００９】
プリンタ１０は筐体１２を有し、筐体１２の上面にトレー収容凹部１２０２が形成され、このトレー収容凹部１２０２に排紙トレー１３が装脱可能に取り付けられる。
トレー収容凹部１２０２に収容された排紙トレー１３に臨む筐体１２箇所に排紙口１２０４が設けられている。
【００１０】
筐体１２に、記録紙ロール収容部１６、搬送部１８、インクリボンカセット収容部２０、プラテンローラ２２、プリントヘッド２４、カッター装置２６などが組み込まれている。
記録紙ロール２の両端にそれぞれ本発明に係る第１、第２の記録紙ロール支持装置１４、１５（図３）が装着されて記録紙ロール収容部１６に配設される。
記録紙２Ａは記録紙ロール２から引き出され搬送路４に沿って搬送され、カッター装置２６により切断され排紙口１２０４から排紙トレー１３に収容される。
【００１１】
図１、図２に示すように、記録紙ロール収容部１６は、上方が開放され記録紙ロール２の外周面に沿って延在する半円筒状の底壁１６０２と、底壁１６０２の延在方向の両端から起立され記録紙ロール２の両端に臨む側壁１６０４とを有している。
各側壁１６０４には、第１、第２の記録ロール支持装置１４の支軸部４０、７８を回転可能に支持する軸受け部２８が設けられている。
軸受け部２８は、上方が開放された半円筒面状の軸受け壁部２８０２（図１、図２）と、支軸部の先端が当て付けられる当接壁部２８０４（図２）とを含んで構成されている。
【００１２】
図１に示すように、搬送部１８は、記録紙ロール収容部１６に収容された記録紙ロール２から引き出された記録紙２Ａを搬送路４に沿ってプリントヘッド２４を経由してカッター装置２６に導く正方向に搬送し、また、これとは逆に、搬送路４の記録紙２を記録紙ロール２に巻き取る逆方向に搬送するものである。それら記録紙２Ａの正方向への搬送と逆方向への搬送は、印画時になされる。
本実施の形態では、搬送路４のうち記録紙ロール収容部１６からプリントヘッド２４に至る搬送路部分がほぼ水平方向に延在し、この搬送路部分に接続されプリントヘッド２４からカッター装置２６に至る搬送路部分がＵ字状に湾曲され１８０度折り返された折り返し部４Ａとして構成されている。
搬送部１８は、記録紙２をその厚さ方向から挟持しつつ正方向あるいは逆方向に回転することで記録紙２を正方向あるいは逆方向に搬送するピンチローラ１８Ａおよびキャプスタン１８Ｂ、複数のガイドローラ１８Ｃおよびガイド部材１８Ｄなどを備えている。
【００１３】
インクリボンカセット収容部２０は、インク色ごとに色分けされインクリボン８を収容したインクリボンカセット６を装脱可能に収容するものである。
インクリボンカセット６内のインクリボン供給リール６Ａから引き出されたインクリボン８は、図示しないガイドローラに案内されてプラテンローラ２２とプリントヘッド２４の間を通り、インクリボンカセット６内のインクリボン巻取りリール６Ｂに巻き取られる。
プラテンローラ２２とプリントヘッド２４は、搬送路４を挟んで対向して設けられている。
プラテンローラ２２はその外周面に記録紙２Ａが接触しており、記録紙２Ａを挟んだプラテンローラ２２の反対側にはインクリボン６が位置し、したがって、インクリボン６は記録紙２とプリントヘッド２４との間に介在している。
プリントヘッド２４は、プラテンローラ２２に近接することでプラテンローラ２２と協働してインクリボン６を記録紙２に圧接させる印画位置と、プラテンローラ２２から離間してインクリボン６の記録紙２への圧接を解除するスタンバイ位置との間で移動するように構成されている。
記録紙２Ａを搬送部１８により搬送しつつプリントヘッド２４を印画位置に位置させて、プリントヘッド２４の複数の発熱素子を階調データに基づいて選択的に通電駆動することでインクリボン６の昇華性染料を昇華させ記録紙２Ａ上に転写させることにより印画がなされる。
記録紙２Ａに対する印画は、例えば、プリントヘッド２４をスタンバイ位置に位置させた状態で搬送部１８により記録紙２を正方向に一定量搬送したのち、プリントヘッド２４を印画位置に位置させた状態で搬送部１８により記録紙２を逆方向に一定量搬送しつつプリントヘッド２４を駆動することでなされる。
【００１４】
記録紙２をピンチローラ１６Ａおよびキャプスタン１６Ｂで挟持して記録紙２を搬送しつつ印画を行い印画領域を形成すると、印画領域と印画領域との間に記録紙２の幅方向の全長にわたって印画がなされない非印画領域が生じる。
したがって、記録紙２の長さ方向に印画領域と非印画領域とが交互に並べられて形成されることになる。
カッター装置２６は排紙口１２０４に設けられ、記録紙２を印画領域と非印画領域とに分けて切断するものであり、カッター装置２６によって切断された記録紙２の印画領域は印画物となり、カッター装置２６によって切断された記録紙２の非印画領域は切断片となる。
カッター装置２６は、図示しないが、回転軸を中心に回転しつつ記録紙２Ａの幅方向に移動する円形の回転刃と、回転刃の移動軌跡上で記録紙２Ａの幅方向に延在する固定刃とを含んで構成され、回転刃が固定刃に接しつつ回転し移動することで記録紙２Ａが切断される。なお、カッター装置２６の構成は、カッターを回転させる回転方式に限定されず従来公知のさまざまな構造が採用可能である。
【００１５】
次に本発明の要部について説明する。
図４は第１の記録紙ロール支持装置１４の斜視図、図５は第１の記録紙ロール支持装置１４の分解斜視図、図６は第１の部材３０の斜視図、図７は第２の部材３２の斜視図、図８は第２の部材３２の上下を反転させた斜視図、図９は挿入部側カム面５０、支軸部側カム面５４の平面展開図、図１０は係合突起６１、係合凹部６６を説明する断面図である。
図１１、図１２はロック部材４４と欠部４６の動作を説明する斜視図、図１３（Ａ）乃至（Ｃ）は第１の部材３０と第２の部材３２の動作を説明する斜視図である。
図２、図３に示すように、記録紙ロール２の長手方向の一方の端部の中心孔４に第１の記録紙ロール支持装置１４が装着され、記録紙ロール２の長手方向の他方の端部の中心孔４に第２の記録紙ロール支持装置１５が装着される。
【００１６】
図４、図５に示すように、第１の記録紙ロール支持装置１４は、第１の部材３０と、第２の部材３２とを備えている。
図５に示すように、第１の部材３０は、記録紙ロール２の端部の中心孔４に挿入される挿入部３６と、挿入部３６の端部に設けられた支持部３８と、支持部３８の端部に設けられた支軸部４０とを有している。
【００１７】
図５に示すように、挿入部３６は、筒状壁３６０２を有し、筒状壁３６０２の外周面３６０４に押圧部材４２とロック部材４４とが組み込まれている。
押圧部材４２は記録紙ロール２の中心孔４の内周面に押圧され、第１の部材３０ががたつくことなく中心孔４に装着されるようにしたものである。
押圧部材４２は、外周面から一定量突出した状態に付勢されて配設され、押圧部材４２の付勢はコイルスプリング４２０２（図１５参照）により行われ、押圧部材４２は外周面３６０４の周方向に間隔をおいて複数設けられている。
図１１、図１２に示すように、ロック部材４４は、外周面３６０４から一定量突出した状態に付勢されて配設され、中心孔４に装着される際に中心孔４の内周面により半径方向内側に変位され、第２の部材３２の欠部４６に係合し、第１の部材３０に対する第２の部材３２の回転を阻止するものである。
【００１８】
図６に示すように、支持部３８は、外周面４８と、挿入部側カム面５０と、鍔部５２と、支軸部側カム面５４と、切り欠き５６とを有している。
外周面４８は、挿入部３６の筒状壁３６０２と同軸上に設けられている。
外周面４８には、クリック機構の一部を構成するクリック爪５７が周方向に間隔をおいた２箇所に設けられている。クリック爪５７は、外周面４８にスリット４８０２を介して区画され、クリック爪５７の先端には係合突起６１が設けられている。
図６、図９に示すように、挿入部側カム面５０は、外周面４８の挿入部３６寄りの端部に設けられている。
すなわち、挿入部側カム面５０は、外周面４８の挿入部３６寄りの端部で外周面４８の径方向の外側の環状の箇所に、外周面４８に面し軸方向の高さが互いに異なり周方向に位相がずらされた第１カム面５０Ａ、第２カム面５０Ｂ、第３カム面５０Ｃの３つのカム面を有している。３つのカム面５０Ａ、５０Ｂ、５０Ｃからなる挿入部側カム面５０は、周方向に間隔をおいて３組設けられている。
【００１９】
鍔部５２は、外周面４８の支軸部４０寄りの端部にこの端部の外径よりも大きな外径で設けられている。
図６、図９に示すように、支軸部側カム面５４は、鍔部５２が支軸部４０寄りの端部に面する箇所に設けられ、周方向に位相がずらされ軸方向の高さが互いに異なる第４カム面５４Ａ、第５カム面５４Ｂ、第６カム面５４Ｃの３つのカム面を有している。３つのカム面５４Ａ、５４Ｂ、５４Ｃからなる支軸部側カム面５４は、周方向に間隔をおいて２組設けられている。
図６に示すように、切り欠き５６は、鍔部５２の外周部に設けられている。
支軸部４０は、記録紙ロール２の支軸となる箇所であり、支軸部４０の先端に球面４０Ａが突出形成され、この球面４０Ａは図２に示すように、軸受け部２８の当接壁部２８０４に当接される。
【００２０】
図５、図７、図８に示すように、第２の部材３２は、筒部５８と、フランジ部６０と、カムフォロア部６２と、係合爪６４と、操作用つまみ３４とを有している。
筒部５８は、外周面４８が挿入される内周面５８０２が設けられた筒状を呈している。
図７、図１０に示すように、内周面５８０２の周方向に間隔をおいた２箇所に、係合突起６１が係合される係合凹部６６が周方向に間隔をおいて３つ設けられ、クリック爪５７と、係合突起６１と、係合凹部６６とで、第１の部材３０に対して第２の部材３２を所定の角度回転する毎にクリック感が付与されるクリック機構が構成されている。
図７に示すように、フランジ部６０は、筒部５８に該筒部５８と同軸状で該筒部５８よりも大径に設けられている。このフランジ部６０は、挿入部３６が中心孔４に挿入された場合に記録紙ロール２の記録紙２Ａの幅方向の端部に当接する箇所である。
図８に示すように、カムフォロア部６２は、筒部５８の軸方向の一方の端部に設けられている。カムフォロア部６２は筒部５８の周方向に間隔をおいて３つ設けられ、各カムフォロア部６２は、複数の挿入部側カム面５０に選択的に係合可能に設けられている。
図９に示すように、係合爪６４は、切り欠き５６（図６）を通り支持部３８上に移動可能に設けられている。係合爪６４は筒部５８の周方向に間隔をおいて２つ設けられ、各係合爪６４は、複数の支軸部側カム面５４に選択的に係合可能に設けられている。
図７に示すように、操作用つまみ３４は、フランジ部６０よりも係合爪６４寄りの筒部５８の箇所に、筒部５８よりも大きくフランジ部６０よりも小さい外径で設けられている。
操作用つまみ３４は、筒部５８の周囲の箇所でフランジ部６０の一方の面から環状に起立された壁部３４０２により構成されている。壁部３４０２は、半径方向外方に凸状の円筒壁部分３４０４と、半径方向内方に窪む凹状の円筒壁部分３４０６とが周方向に交互に並べられて構成されている。
このように操作用つまみ３４を、筒部５８の周方向に連続する環状の壁部３４０２で構成することで、内部へのゴミの侵入を防止し、信頼性や安全性を向上させる上で有利となる。
【００２１】
そして、図５に示すように、係合爪６４が切り欠き５６を通って支持部３８に位置し、外周面４８が内周面５８０２に挿入されて支持部３８に筒部５８が支持され、図９に示すように、カムフォロア部６２が第１、第２、第３のカム面５０Ａ、５０Ｂ、５０Ｃに選択的に係合し、係合爪６４が第４、第５、第６のカム面５４Ａ、５４Ｂ、５４Ｃに選択的に係合した状態で、係合爪６４が支軸部側カム面５４により軸方向に弾性変形されその反力によりカムフォロア６２が挿入部側カム面５０に当接され支持部３８上での軸方向における第２の部材３２が位置決めされる。
この位置決めされた状態は、図１０に示すように、係合突起６１が係合凹部６６に係合することで安定した状態で保持される。
そして、このように挿入部側カム面５０および支軸部側カム面５４などを介し支軸部４０に対するフランジ部６０を調整したならば、挿入部３６を中心孔４に装着する。この装着により、ロック部材４４が中心孔４の内周面により半径方向内側に変位され、第２の部材３２の欠部４６に係合し、第１の部材３０に対する第２の部材３２の回転が阻止される。
なお、本実施の形態では、第２の部材３２は第１の部材３０に対して取り外し不能に組み付けられている。
すなわち、上述したように、係合爪６４が切り欠き５６を通って支持部３８に位置し、外周面４８が内周面５８０２に挿入されて支持部３８に筒部５８が支持されることで第２の部材３２が第１の部材３０に取り付けられるが、このときクリック爪５７は係合爪６４に押されて半径方向内側に向かっていったん弾性変形する。
そして、第２の部材３２を回転させて係合爪６４をクリック爪５７から外してクリック爪５７の変形を解除すると、クリック爪５７と係合爪６４はそれらの延在方向と直交する両側に位置する側面が互いに当接可能な状態となる。
したがって、これ以降、係合爪６４を切り欠き５６と同じ位置に位置させて第１の部材３０から第２の部材３２を取り外そうとしても、係合爪６４とクリック爪５７の側面が当接することで、係合爪６４を切り欠き５６の箇所に位置させることが阻止され、これにより、第２の部材３２は第１の部材３０に対して取り外し不能に組み付けられることになる。
【００２２】
図１４は第２の記録紙ロール支持装置１５の斜視図、図１５は第２の記録紙ロール支持装置１５の分解斜視図、図１６は図１４のＡ矢視図、図１７は図１４を矢印Ｂ方向から見た斜視図である。
図１４、図１５に示すように、第２の記録紙ロール支持装置１５は、第３の部材６８と、第４の部材７０とを備えている。
図１５乃至図１７に示すように、第３の部材６８は、記録紙ロール２の端部の中心孔４に挿入される挿入部７２と、挿入部７２の内側に設けられた筒部７４と、挿入部７２の端部に設けられたフランジ部７６とを有している。
挿入部７２は、筒状壁７２０２を有し、筒状壁７２０２の外周面７２０４に押圧部材４２が組み込まれている。
押圧部材４２は記録紙ロール２の中心孔４の内周面に押圧され、第３の部材６８ががたつくことなく中心孔４に装着されるようにしたものである。
押圧部材４２は、外周面７２０４から一定量突出した状態に付勢されて配設され、押圧部材４２の付勢はコイルスプリング４２０２により行われ、押圧部材４２は外周面７２０４の周方向に間隔をおいて複数設けられている。
筒部７４は、筒状壁７２０２と同軸上に設けられ、筒部７４の周方向に間隔をおいた３箇所に切り欠き７５が設けられている。
フランジ部７６は、挿入部７２に該挿入部７２と同軸状で該挿入部７２よりも大径に設けられている。このフランジ部７６は、挿入部７２が中心孔４に挿入された場合に記録紙ロール２の記録紙２Ａの幅方向の端部に当接する箇所である。
【００２３】
図１５に示すように、第４の部材７０は、支軸部７８と、この支軸部７８の端部に設けられ筒部７４の内周に挿入される複数の係合爪８０とを有している。
支軸部７８は、記録紙ロール２の支軸となる箇所であり、支軸部７８の先端に球面７８Ａが突出形成されている。この球面７８Ａは図２に示すように、軸受け部２８の当接壁部２８０４に当接される。
図１６、図１７に示すように、係合爪８０は、周方向に間隔をおいて３つ設けられ、切り欠き７５に係合される。
図１５乃至図１７に示すように、第４の部材７０は、コイルスプリング７００２を筒部７４の底壁７４１０と係合爪８０の内周基端との間に介設した状態で係合爪８０が筒部７４の内側に挿入され、各係合爪８０が切り欠き７５に係合される。言い換えると、第４の部材７０は、支軸部７８と、この支軸部７８の端部に設けられコイルスプリング７００２を圧縮しつつ挿入部７２の内側に組み込まれ挿入部７２の内側の切り欠き７５に係合する複数の係合爪８０とを有している。
支軸部７８は、係合爪８０が切り欠き７５に係合する突出位置に、コイルスプリング７００２により付勢されており、かつ、支軸部７８の挿入部７２方向への没入が可能であり、言い換えると、支軸部７８は、各係合爪８０が切り欠き７５内で軸方向に移動できる範囲内で没入可能である。
そして、このように第３の部材６８と第４の部材７０が組み込まれた第２の記録紙ロール支持装置１５の挿入部７２が中心孔４に装着される。
【００２４】
次に第１、第２の記録紙ロール支持装置１４、１５の使用方法について説明する。
本例では、プリンタ１０で使用する記録紙ロール２として、記録紙２Ａの幅方向の寸法が異なる３種類の記録紙ロール２が、すなわち、Ａ４サイズ、レターサイズ、８インチサイズの３種類の記録紙ロール２が用意されている場合について説明する。
まず、第１の記録紙ロール支持装置１４の第１の部材３０を把持すると共に、第２の部材３２を把持して第１の部材３０に対して回転させる（図１３（Ａ）乃至（Ｃ））。
これにより、カムフォロア部６２が第１、第２、第３のカム面５０Ａ、５０Ｂ、５０Ｃの何れかに選択的に係合することで、第２の部材３２の支軸部４０に対する軸方向における位置を、すなわち、フランジ部６０の支軸部４０に対する軸方向における位置を記録紙ロール２の幅方向の寸法に対応した位置に位置決めする。なお、この際の第２の部材３２の回転は、操作用つまみ３４を把持することにより簡単になされる。
位置決めが終了したならば、挿入部３６を記録紙ロール２の一方の端部の中心孔４に挿入し、フランジ部６０を記録紙ロール２の端部に当て付ける。
次に、第２の記録紙ロール支持装置１５の挿入部７２を記録紙ロール２の他方の端部の中心孔４に挿入し、フランジ部７６を記録紙ロール２の端部に当て付ける。
これにより、記録紙ロール２の両端に第１、第２の記録紙ロール支持装置１４、１５が装着される。
【００２５】
次に、両端に第１、第２の記録紙ロール支持装置１４、１５が装着された記録紙ロール２をプリンタ１０の記録紙ロール収容部１６に収容する。
すなわち、支軸部７８を挿入部７２方向へ没入しつつ、支軸部４０、７８を各軸受け部２８にそれぞれ係合する。
これにより、支軸部４０、７８は、それらの外周面が軸受け壁部２８０２にそれぞれ係合され、かつ、支軸部４０、７８の球面４０Ａ、７８Ａは、コイルスプリング７００２の付勢力により当接壁部２８０４にそれぞれ当接される。したがって、支軸部４０、７８と当接壁部２８０４との摩擦力はきわめて小さく、記録紙ロール２の円滑な回転を保障する上で極めて有利となる。
【００２６】
そして、支軸部４０が当接壁部２８０４に当接されることにより、記録紙２Ａの幅方向の寸法に拘わらず、記録紙２Ａの幅方向の中心線と、インクリボン８の幅方向の中心線とが合致するように位置決めされる。したがって、インクリボン８と記録紙２Ａとの幅方向の偏りをなくすことができ印画品質の向上を図る上で有利となる。
次に、搬送部１８により記録紙ロール２から記録紙２が引き出され、インクリボン８とプリントヘッド２４により記録紙２に対して印画がなされ、印画された記録紙２がカッター装置２６によって切断されることで印画された記録紙２が排紙トレー１３に搬送される。
【００２７】
以上説明したように本実施の形態によれば、第１の記録紙ロール支持装置１４は、カムフォロア部６２が複数の挿入部側カム面５０に選択的に係合され、係合爪６４が複数の支軸部側カム面５４に選択的に係合されるといった簡単な構造により、支軸部４０に対する軸方向におけるフランジ部６０の位置決めを行うことできる。
したがって、構成の簡素化を図ることにより第１の記録紙ロール支持装置１４の小型化、ひいてはプリンタ１０の小型化を図る上で有利となる。
また、第１の部材３０と第２の部材３２とを相対的に回転させるといった簡単な操作で幅方向の寸法が異なる複数の記録紙ロール２に対応でき、しかも、アジャスターなどの紛失を招くことがないため、使い勝手の向上を図る上で有利となる。
また本実施の形態では、記録紙ロール２の一方の端部に第１の記録紙ロール支持装置１４を配置すると共に、記録紙ロール２の他方の端部に第２の記録紙ロール支持装置１５を配置したので、幅の違う記録紙２を使用する場合に、第２の記録紙ロール支持装置１５を調整することなく、第１の記録紙ロール支持装置１４のみを調整することで足り、したがって、操作性の向上を図る上で極めて有利となる。
【００２８】
なお、本実施の形態では、記録紙ロール２の一方の端部に第１の記録紙ロール支持装置１４を配置すると共に、記録紙ロール２の他方の端部に第２の記録紙ロール支持装置１５を配置した場合について説明したが、記録紙ロール２の両方の端部に第１の記録紙ロール支持装置１４をそれぞれ配置するようにしてもよい。
【図面の簡単な説明】
【００２９】
【図１】本実施の形態のプリンタ１０の構成を示す断面図である。
【図２】図１において矢印Ａ方向から記録紙ロール支持装置１４および記録紙ロール収容部１６を見た状態を示す平面図である。
【図３】記録紙ロール２を支持する記録紙ロール支持装置１４、１５の斜視図である。
【図４】第１の記録紙ロール支持装置１４の斜視図である。
【図５】第１の記録紙ロール支持装置１４の分解斜視図である。
【図６】第１の部材３０の斜視図である。
【図７】第２の部材３２の斜視図である。
【図８】第２の部材３２の上下を反転させた斜視図である。
【図９】挿入部側カム面５０、支軸部側カム面５４の平面展開図である。
【図１０】係合突起６１、係合凹部６６を説明する断面図である。
【図１１】ロック部材４４と欠部４６の動作を説明する斜視図である。
【図１２】ロック部材４４と欠部４６の動作を説明する斜視図である。
【図１３】（Ａ）乃至（Ｃ）は第１の部材３０と第２の部材３２の動作を説明する斜視図である。
【図１４】第２の記録紙ロール支持装置１５の斜視図である。
【図１５】第２の記録紙ロール支持装置１５の分解斜視図である。
【図１６】図１４のＡ矢視図である。
【図１７】図１４を矢印Ｂ方向から見た斜視図である。
【符号の説明】
【００３０】
２……記録紙ロール、２Ａ……記録紙、４……中心孔、１０……プリンタ、１４……第１の記録紙ロール支持装置、１５……第２の記録紙ロール支持装置、３０……第１の部材、３２……第２の部材、３６……挿入部、３８……支持部、４０……支軸部、４８……外周面、５０……挿入部側カム面、５２……鍔部、５４……支軸部側カム面、５６……切り欠き、５８０２……内周面、５８……筒部、６０……フランジ部、６２……カムフォロア部、６４……係合爪、６８……第３の部材、７０……第４の部材、７００２……コイルスプリング、７２……挿入部、７５……切り欠き、７６……フランジ部、７８……支軸部、８０……係合爪。
【図１】
0005109797.tif 000002
【図２】
0005109797.tif 000003
【図３】
0005109797.tif 000004
【図４】
0005109797.tif 000005
【図５】
0005109797.tif 000006
【図６】
0005109797.tif 000007
【図７】
0005109797.tif 000008
【図８】
0005109797.tif 000009
【図９】
0005109797.tif 000010
【図１０】
0005109797.tif 000011
【図１１】
0005109797.tif 000012
【図１２】
0005109797.tif 000013
【図１３】
0005109797.tif 000014
【図１４】
0005109797.tif 000015
【図１５】
0005109797.tif 000016
【図１６】
0005109797.tif 000017
【図１７】
0005109797.tif 000018